(57)【要約】【課題】    デザイン性の向上を図ることができ、使用性にも優れた袋状物用の口金を提供する。【解決手段】  開閉可能に連結された一対のフレーム材(２)(２)に係止用突起(３)(３)をそれぞれ設けて、これら係止用突起(３)(３)を互いに係合させることで前記フレーム材(２)(２)を閉状態に保持する口金(１)において、互いに係合された係止用突起(３)(３)を覆い隠すカバー材(４)を前記フレーム材(２)(２)に設ける。【選択図】  図２
2006230743.tif 000002
【特許請求の範囲】
【請求項１】
開閉可能に連結された一対のフレーム材に係止用突起をそれぞれ設けて、これら係止用突起を互いに係合させることで前記フレーム材を閉状態に保持する口金において、互いに係合された係止用突起を覆い隠すカバー材を前記フレーム材に設けたことを特徴とする袋状物用の口金。
【請求項２】
前記カバー材は、各フレーム材に突設した一対のカバー片からなり、それらカバー片は、前記フレーム材の閉状態において、互いに合わさって中空の立体を形成するとともに、その立体内部に前記係止用突起を収容する請求項１記載の袋状物用の口金。
【請求項３】
前記カバー材の一対のカバー片は、互いに略同一形状を有している請求項２記載の袋状物用の口金。
【請求項４】
前記カバー材の一対のカバー片は、それぞれ略椀状とされ、互いに合わさって中空の球体を形成する請求項２又は３記載の袋状物用の口金。
【請求項５】
前記カバー材は、その一対のカバー片が互いに離間するようにカバー材に捻りを加えることで、前記係止用突起の係合を解除する開放用つまみとしての機能を有する請求項２乃至４のいずれかに記載の袋状物用の口金。
【発明の詳細な説明】
【技術分野】
【０００１】
この発明は、財布や鞄等の袋状物の開口部を開閉するために、その開口部に取り付けられる袋状物用の口金に関する。
【背景技術】
【０００２】
一般的に、財布や鞄等の袋状物の開口部に取り付けられる口金は、例えば特許文献１に開示されているように、開閉可能に連結された一対のフレーム材と、これらフレーム材にそれぞれ設けられた係止用突起とを備え、それら係止用突起同士を係合させることで、フレーム材同士を閉じた状態で保持できるようになっている。この種の口金において、係止用突起同士は、摘んで捻るだけで簡単に係脱させることができ、袋状物の中の物を容易に出し入れできるようになっている。
【０００３】
【特許文献１】特開２０００−１１２号公報
【発明の開示】
【発明が解決しようとする課題】
【０００４】
しかし、従来の口金は、上記のように係止機能を有する係止用突起が外部に露出しており、その分だけデザイン設計の自由度が制限されてしまうため、どれもありきたりな形状となって、斬新さに欠けていた。また、外部に露出した係止用突起が、衣服その他のものに引っ掛かりやすいといった欠点もあった。
【０００５】
そこで、この発明は、上記のような不具合を解消して、デザイン性の向上を図ることができ、使用性にも優れた袋状物用の口金を提供することを目的とする。
【課題を解決するための手段】
【０００６】
上記の課題を解決するため、この発明における袋状物用の口金は、開閉可能に連結された一対のフレーム材に係止用突起をそれぞれ設けて、これら係止用突起を互いに係合させることで前記フレーム材を閉状態に保持する口金において、互いに係合された係止用突起を覆い隠すカバー材を前記フレーム材に設けたことを特徴とする。
【０００７】
また、前記カバー材は、各フレーム材に突設した一対のカバー片からなり、それらカバー片は、前記フレーム材の閉状態において、互いに合わさって中空の立体を形成するとともに、その立体内部に前記係止用突起を収容する。
【０００８】
さらに、前記カバー材の一対のカバー片は、互いに略同一形状を有している。
【０００９】
具体的に、前記カバー材の一対のカバー片は、それぞれ略椀状とされ、互いに合わさって中空の球体を形成する。
【００１０】
また、前記カバー材は、その一対のカバー片が互いに離間するようにカバー材に捻りを加えることで、前記係止用突起の係合を解除する開放用つまみとしての機能を有する。
【発明の効果】
【００１１】
この発明における袋状物用の口金では、一対のフレーム材を閉じたときに、互いに係合された係止用突起が、フレーム材に設けられたカバー材によって覆い隠されるため、そのカバー材の形状を自由に設定することができ、係止用突起が露出する従来の口金に比べて、斬新で優れたデザインにすることができる。
【００１２】
また、衣服等に引っ掛かりやすい係止用突起がカバー材で覆い隠されるため、衣服等への引っ掛かりを防止して、使用性の向上を図ることができる。
【００１３】
さらに、カバー材は、係止用突起の係合を解除する開放用つまみとしての機能を有するため、係止用突起を覆い隠すようにしたにも関わらず、互いに合わさったカバー材を摘んで捻るだけで、係止用突起の係合を簡単に解除することができる。
【発明を実施するための最良の形態】
【００１４】
以下、この発明の実施形態を図面に基づいて詳細に説明する。図１及び図２に示すように、この発明の一実施形態に係る袋状物用の口金(１)は、財布や鞄等の袋状物(10)の開口部(11)を開閉するために、その開口部(11)に取り付けられるものである。
【００１５】
口金(１)は、開閉可能に連結された一対のフレーム材(２)(２)を備えている。フレーム材(２)(２)は、例えば略円弧状に湾曲した形状となっており、その両端部において、フレーム材(２)(２)同士が連結軸(５)(５)を介して枢着されて、袋状物(10)の開口部(11)に取り付けられる。なお、フレーム材(２)(２)の形状は特に限定されるものではなく、例えば略コ字状に屈曲した形状であっても良い。
【００１６】
一対のフレーム材(２)(２)は、連結軸(５)(５)周りに回転可能に連結されており、フレーム材(２)(２)同士を当接させて袋状物(10)の開口部(11)を閉塞する閉状態と、フレーム材(２)(２)同士を離間させて袋状物(10)の開口部(11)を開放する開状態との間で切替え可能とされている。
【００１７】
一対のフレーム材(２)(２)の中間部には、図２及び図３に示すように、それぞれ係止用突起(３)(３)が一体的に突設されており、これら係止用突起(３)(３)を互いに係合させることでフレーム材(２)(２)が閉状態に保持されるようになっている。
【００１８】
また、フレーム材(２)(２)には、互いに係合された係止用突起(３)(３)を覆い隠すカバー材(４)が、係止用突起(３)(３)に対応して設けられている。すなわち、カバー材(４)は、各フレーム材(２)(２)に突設した一対のカバー片(６)(６)からなり、それぞれのカバー片(６)(６)は、フレーム材(２)(２)の中間部において、係止用突起(３)(３)を囲むようにして一体的に突設されている。
【００１９】
カバー片(６)(６)の形状は、中空の球体を波打ち状に分割したような形状となっている。すなわち、それらカバー片(６)(６)は、互いに略同一形状を有しており、それぞれ半球の内部をくり抜いた略椀状に形成されている。そして、フレーム材(２)(２)の閉状態において、カバー片(６)(６)は、その分割面が互いに合わさることで、中空の球体を形成して、図４に示すように、互いに係合された係止用突起(３)(３)を、球体内部に収容した状態で覆い隠すようになっている。
【００２０】
なお、カバー片(６)(６)は、上記のように互いに合わさって中空の球体を形成するものに限られず、例えば、中空の立方体又はその他の形状の立体を形成するものであっても良い。
【００２１】
また、フレーム材(２)(２)の閉状態において、カバー片(６)(６)の互いに合わさった分割面は、図５に示すように、フレーム材(２)(２)の互いに当接した当接面に対して、横方向に所定角度位置ずれしている。これにより、一対のカバー片(６)(６)が互いに離間するようにカバー材(４)に捻りを加えることで、係止用突起(３)(３)の係合を解除できるようになっている。すなわち、カバー材(４)は、係止用突起(３)(３)の係合を解除する開放用つまみとしての機能を有している。
【００２２】
カバー材(４)のカバー片(６)(６)同士は、フレーム材(２)(２)を閉じたときに、互いに係合することなく合わさるようになっている。すなわち、カバー材(４)自体は、係止機能を備える必要がないため、係止機能を設けることによるデザイン上の制約を受けることがなく、カバー材(４)のデザイン性を高めて、口金(１)の意匠性を向上させることができるようになっている。
【００２３】
なお、この発明は、上記実施形態に限定されるものではなく、この発明の範囲内で上記実施形態に多くの修正及び変更を加え得ることは勿論である。
【図面の簡単な説明】
【００２４】
【図１】この発明の一実施形態に係る袋状物用の口金を示す斜視図である。
【図２】フレーム材を開いた状態の口金を示す斜視図である。
【図３】口金のカバー材を示す斜視図である。
【図４】同じくその横断面図である。
【図５】同じくその平面図である。
【符号の説明】
【００２５】
(１)  袋状物用の口金
(２)  フレーム材
(３)  係止用突起
(４)  カバー材
(６)  カバー片
(10)  袋状物
(11)  袋状物の開口部
【図１】
2006230743.tif 000003
【図２】
2006230743.tif 000004
【図３】
2006230743.tif 000005
【図４】
2006230743.tif 000006
【図５】
2006230743.tif 000007